(57)【要約】      （修正有）【課題】操作レバーが正面位置にある状態で水のみを吐出可能であり、湯の無駄使いを防止することのできる湯水混合水栓を提供する。【解決手段】操作レバーの下方には、湯水混合バルブユニットなどを固定するための略リング状の固定部材１９が水栓本体部１４に取り付けられ、この固定部材１９内に、操作レバーの回動操作と連動して回動する回動部材１８が組み込まれている。回動部材１８と固定部材１９との間には略リング状の係止部材２１が固定部材１９に係止された状態で配置されている。回動部材１８の外周には、略Ｖ字状の板バネ２０が取り付けられ、係止部材２１の内周の正面位置には、板バネ２０の突起部が嵌入離脱可能な凹部２１ａが形成されている。そして、操作レバーが正面位置にあるとき、板バネ２０の突起部は凹部２１ａ内に嵌入している。【選択図】図９
2010281452.tif 000002
【特許請求の範囲】
【請求項１】
操作レバーの上下回動操作で吐水止水および吐水量調節を行い、左右回動操作で吐水の
温度調節を行う湯水混合水栓であって、
供給される湯、水をそれぞれ流入させる湯バルブ流入口、水バルブ流入口と、前記操作
レバーの操作で作動する操作ロッドと、混合された湯水を流出させる湯水バルブ流出口と
、を有する湯水混合バルブユニットと、
前記湯水混合バルブユニットを上部に収納するために形成された湯水混合バルブユニッ
ト収納凹部と、前記湯バルブ流入口、前記水バルブ流入口へそれぞれ湯、水を流入させる
ためのバルブ側給湯路、バルブ側給水路と、前記バルブ側給湯路、前記バルブ側給水路へ
それぞれ湯、水を供給するため前記バルブ側給湯路、前記バルブ側給水路にそれぞれ連通
して形成された給湯管側給湯路、給水管側給水路と、を有する水栓本体部と、
前記湯水バルブ流出口から流出した湯水が流入する吐水部通水路および前記吐水部通水
路に流入した湯水が吐出する吐水口を有する吐水部と、を備え、
前記操作レバーの操作範囲のうち、前記吐水口から水のみを吐水する水吐出操作範囲の限界位置に、前記操作レバーの回動を抑制する抵抗手段を配設してあることを特徴とする、湯水混合バルブユニット。
【請求項２】
前記給水管側給水路の中心軸と前記給湯管側給湯路の中心軸とを結ぶ線分の中心位置から手前側垂直方向に延びる直線上に前記操作レバーが位置した際に前記操作レバーの回動を抑制するよう、前記抵抗手段が配設されたことを特徴とする請求項１記載の湯水混合水栓。
【発明の詳細な説明】
【技術分野】
【０００１】
本発明は、シングルレバー式の湯水混合水栓に関する。
【背景技術】
【０００２】
シングルレバー式の湯水混合水栓は、一般に操作レバーの上下回動操作によって吐水止
水および吐水量調節が行われ、左右回動操作によって吐出される湯水の温度調節が行われ
る。このようなシングルレバー式の湯水混合水栓においては、操作レバーが正面位置にあ
るときに操作レバーを無意識に上下回動操作すると湯水が混合された状態で吐出される。
このため、使用者が水のみを必要とするときにも湯水混合水が吐出されることとなり、湯
の無駄使いが生じ、給湯エネルギの浪費となっていた。
【０００３】
そこで、このような湯の無駄遣いを防止するため、操作レバーが正面に位置していると
きには水のみを吐水させるような機構を設けた湯水混合水栓が提案されている（例えば、
特許文献１，２，３参照。）。
【０００４】
特許文献１記載の湯水混合水栓においては、ディスクバルブの位置が従来のものより所
定角度だけ回転させた状態で配置され、正面位置にある操作レバーを吐水操作したとき、
ディスクバルブの水導入口のみが開放され、水が吐出されるようになっている。ディスク
バルブの水導入口、湯導入口への給水、給湯を行う水栓本体の給水路、給湯路の形成は従
来と同じであるため、水栓本体への給水、給湯位置は従来のものより所定角度だけ回転さ
せた位置となるが、これらの位置への給水、給湯は、曲折する給水管や給湯管によって行
われている。
【０００５】
特許文献２記載の湯水混合水栓においても同様に、ディスクバルブが従来のものより所
定角度だけ回転させた状態で配置され、操作レバーを正面位置で吐水操作すると、ディス
クバルブの水導入口のみが開放され、水が吐出される。ディスクバルブの水導入口、湯導
入口への給水、給湯は、曲折した通水路を有するソケットをディスクバルブの下方に介在
させることによって行われている。
【０００６】
特許文献３記載の湯水混合水栓は、ディスクバルブの湯導入口を小さくするとともに水
導入口を湯導入口側へ拡大させた構造を備え、操作レバーを正面位置で吐水操作すると、
ディスクバルブの水導入口のみが開放され、水が吐出される。
【０００７】
【特許文献１】実公平６−７０８９号公報
【特許文献２】特開２００３−１２９５３５号公報
【特許文献３】特許第３２００５４０号公報
【発明の開示】
【発明が解決しようとする課題】
【０００８】
特許文献１記載の湯水混合水栓は、水栓本体への給水口、給湯口が従来のものより所定
角度だけ回転した位置にあるため、給水管および給湯管を曲折させて位置合わせしなけれ
ばならず、組み立てが煩雑である。また、プルアウト方式の湯水混合水栓の場合、給水管
および給湯管の形状が複雑であり、またその位置が従来と異なるため、プルアウトのホー
スを出し入れさせる際に、ホースと給水管および給湯管が干渉する可能性もある。
【０００９】
特許文献２記載の湯水混合水栓の場合、専用のソケットをディスクバルブの下方に介在
させる必要があるため、その分だけ湯水混合水栓の高さが大きくなり、デザインが悪い。
また、専用のソケットが必要であるだけでなく、それを湯水混合水栓に取り付ける作業も
必要であるため、部品点数の増加、組み立て工数の増大を招いている。
【００１０】
特許文献３記載の湯水混合水栓においては、操作レバーの左右方向操作範囲が従来のも
のと変わらないようにするために、ディスクバルブの水導入口が拡大されるとともに湯導
入口が縮小されているので、湯水の温度調節範囲が狭く、使い勝手が悪い。
【００１１】
本発明が解決しようとする課題は、操作レバーが正面位置にある状態で水のみを吐出可
能であり、湯の無駄使いを防止することのできる湯水混合水栓を提供することにある。
【課題を解決するための手段】
【００１２】
本発明の湯水混合水栓は、操作レバーの上下回動操作で吐水止水および吐水量調節を行い、左右回動操作で吐水の
温度調節を行う湯水混合水栓であって、
供給される湯、水をそれぞれ流入させる湯バルブ流入口、水バルブ流入口と、前記操作
レバーの操作で作動する操作ロッドと、混合された湯水を流出させる湯水バルブ流出口と
、を有する湯水混合バルブユニットと、
前記湯水混合バルブユニットを上部に収納するために形成された湯水混合バルブユニッ
ト収納凹部と、前記湯バルブ流入口、前記水バルブ流入口へそれぞれ湯、水を流入させる
ためのバルブ側給湯路、バルブ側給水路と、前記バルブ側給湯路、前記バルブ側給水路へ
それぞれ湯、水を供給するため前記バルブ側給湯路、前記バルブ側給水路にそれぞれ連通
して形成された給湯管側給湯路、給水管側給水路と、を有する水栓本体部と、
前記湯水バルブ流出口から流出した湯水が流入する吐水部通水路および前記吐水部通水
路に流入した湯水が吐出する吐水口を有する吐水部と、を備え、
前記操作レバーの操作範囲のうち、前記吐水口から水のみを吐水する水吐出操作範囲の限界位置に、前記操作レバーの回動を抑制する抵抗手段を配設してあることを特徴とする。
【００１３】
このような構成とすれば、操作レバーが正面位置にあるとき、水栓本体部のバルブ側給
水路および湯水混合バルブユニットの水バルブ流入口が水栓本体部の正面側に位置するた
め、この状態で操作レバーを吐水操作したとき、水のみを吐出することが可能であり、こ
れによって湯の無駄使いを防止することができる。さらに、水吐出操作範囲の限界位置に抵抗手段を配設してあるため、操作レバーが水吐出範囲内にあること、および水吐出範囲から超えたことを使用者に確実に認識させることが可能となり、誤操作による湯の無駄使いを防止することができる。
【００１４】
ここで、前記給水管側給水路の中心軸と前記給湯管側給湯路の中心軸とを結ぶ線分の中心位置から手前側垂直方向に延びる直線上に前記操作レバーが位置した際に前記操作レバーの回動を抑制するよう、前記抵抗手段が配設されるようすれば、操作レバーが水吐出位置にあることを使用者に確実に認識させることができ、誤操作による湯の無駄使いをさらに防止することができる。
【発明の効果】
【００１５】
本発明により、操作レバーが正面位置にある状態で水のみを吐出可能であり、湯の無駄
使いを防止することのできる湯水混合水栓を提供することができる。
【図面の簡単な説明】
【００１６】
【図１】本発明の実施の形態である湯水混合水栓を示す斜視図である。
【図２】図１に示す湯水混合水栓の分解斜視図である。
【図３】図２に示す湯水混合バルブユニットの分解斜視図である。
【図４】図２に示す湯水混合バルブユニットの分解斜視図である。
【図５】水栓本体部の平面図である。
【図６】水栓本体部の底面図である。
【図７】図５におけるＡ−Ａ線断面図である。
【図８】操作レバーの操作状態を示す平面説明図である。
【図９】図１に示す湯水混合水栓の一部分解平面図である。
【図１０】図９に示す湯水混合水栓の操作状態を示す平面図である。
【図１１】その他の実施の形態である湯水混合水栓を示す一部分解平面図である。
【発明を実施するための最良の形態】
【００１７】
以下、図面に基づいて、本発明の実施の形態について説明する。図１は本発明の実施の
形態である湯水混合水栓を示す斜視図、図２は図１に示す湯水混合水栓の分解斜視図、図
３，図４は図２に示す湯水混合バルブユニットの分解斜視図、図５は水栓本体部の平面図
、図６は水栓本体部の底面図、図７は図５におけるＡ−Ａ線断面図、図８は操作レバーの
操作状態を示す平面説明図、図９は図１に示す湯水混合水栓の一部分解平面図、図１０は
図９に示す湯水混合水栓の操作状態を示す平面図である。
【００１８】
図１〜図７に示すように、本実施形態の湯水混合水栓１０は、操作レバー１１を上下回
動操作することによって吐水止水および吐水量調節を行い、左右回動操作することによっ
て吐水の温度調節を行う。湯水混合バルブユニット１２は、供給される湯、水をそれぞれ
流入させる湯バルブ流入口１２ｈ、水バルブ流入口１２ｃと、操作レバー１１の操作に連
動する操作ロッド１３と、混合された湯水を流出させる湯水バルブ流出口１２ｍと、を備
えている。
【００１９】
湯バルブ流入口１２ｈ、水バルブ流入口１２ｃへそれぞれ湯、水を流入させるために水
栓本体部１４に設けられたバルブ側給湯路１５ｈ、バルブ側給水路１５ｃは、十分な通水
面積の確保のため、また湯水混合バルブユニット１２との当接面１４ｓでの水密性を確保
するために、当該当接面１４ｓに対しそれぞれ垂直方向に形成されている。また、水栓本
体部１４には、湯水バルブ流出口１２ｍから流出した湯水を流入させる混合水路１４ｍが
設けられ、その上部には湯水混合バルブユニット１２を収納するための湯水混合バルブユ
ニット収納凹部１４ａが形成されている。湯バルブ流入口１２ｈおよび水バルブ流入口１
２ｃは弁座５内部に配設され、円弧形状をなしている。
【００２０】
水栓本体部１４の下方においては、バルブ側給湯路１５ｈに湯を供給するための給湯管
側給湯路１６ｈと、バルブ側給水路１５ｃに水を供給するための給水管側給水路１６ｃと
が止水栓に向けて形成されている。しかしながら、これらの給湯管側給湯路１６ｈと給水
管側給水路１６ｃを水栓本体部１４内で交差させることは構造上困難であるため、これら
の給湯管側給湯路１６ｈ、給水管側給水路１６ｃはそれぞれ結合給水路１７ｈ、１７ｃを
介してバルブ側給湯路１５ｈ、バルブ側給水路１５ｃに連通されている。また、図３に示
すように、給湯管側給湯路１６ｈの下端部、給水管側給水路１６ｃの下端部にはそれぞれ
給湯管２６ｈ、給水管２６ｃが接続される。さらに、図３，図７に示すように、水栓本体
部１４には、湯水バルブ流出口１２ｍから混合水路１４ｍを経由して流出した湯水が流入
する吐水部通水路１４ｂおよび吐水部通水路１４ｂに流入した湯水が吐出される吐水口１
４ｃを有する吐水部１４ｄが設けられている。
【００２１】
図５に示すように、バルブ側給湯路１５ｈの給湯口１５ｈｍおよびバルブ側給水路１５
ｃの給水口１５ｃｍは操作レバー１１（図１参照）の回動中心Ｃから偏心した位置に配置
され、湯水混合バルブユニット１２と水栓本体部１４との当接面１４ｓに対してバルブ側
給水路１５ｃ、バルブ側給湯路１５ｈがそれぞれ垂直方向に形成されている。また、図３
、図４に示すように、結合給水路１７ｃはバルブ側給水路１５ｃに対して給水管側給水路
１６ｃを偏心状態で連通し、結合給水路１７ｈはバルブ側給湯路１５ｈに対して給湯管側
給湯路１６ｈを偏心状態で連通している。そして、水栓本体部１４におけるバルブ側給水
路１５ｃの給水口１５ｃｍおよび湯水混合バルブユニット１２の水バルブ流入口１２ｃが
水栓本体部１４の正面側に配置されている。なお、正面側とは、図６に示すように、給水
管側給水路中心軸１６ｃｃと給湯管側給湯路中心軸１６ｈｃとを結ぶ線分Ｌの中心位置１
６ｃｈｃから手前側垂直方向に延びる直線１６ｃｈｃｃ上をいう。
【００２２】
図３，図４に示すように、湯水混合バルブユニット１２は、ケース４と、その下端に連
結される弁座５と、ケース４の上端側から順に組み込まれる最上層としての第１固定弁板
６と、中間層としての可動弁板７と、最下層としての第２固定弁板８を主要部品として構
成されたものである。ケース４は中空の略円筒体であり、弁座５には、湯バルブ流入口１
２ｈ、水バルブ流入口１２ｃおよび湯水バルブ流出口１２ｍが形成されている。ケース４
の上端には、操作レバー１１（図２参照）に連接される操作ロッド１３が組み込まれる。
この操作ロッド１３は、ケース４の上端に固定される台座９を上下方向に貫通して配置さ
れ、操作ロッド１３の両側に突設された一対のピン１３ａにより回動可能に保持されてい
る。
【００２３】
次に、図８に基づいて、湯水混合水栓１０の操作方法について説明する。図８（ａ）は
湯水混合水栓１０が待機状態（止水状態）にあることを示している。操作レバー１１は正
面側に位置している。この状態で操作レバー１１の先端を上げると、図８（ｃ）に示すよ
うに、水バルブ流入口１２ｃのみが開放され、吐水口１４ｃ（図１参照）から水が吐出さ
れる。また、水バルブ流入口１２ｃは円弧形状をなしているため、図８（ｂ）に示すよう
に、操作レバー１１が右側（反時計方向）へずれている状態で、操作レバー１１の先端が
上げられたときも、水バルブ流入口１２ｃのみが全開され、吐水口１４ｃから水が吐出さ
れる。また、操作レバー１１が多少左側（時計方向）にずれている状態でも、水バルブ流
入口１２ｃのみが全開され、吐水口１４ｃから水が吐出される。即ち、操作レバー１１の
水吐出操作範囲が、当該操作レバー１１の正面位置を中心にして所定角度（約２０度）だ
け左右に回動した範囲内に設定されている。
【００２４】
次に、図８（ｄ）に示すように、操作レバー１１を左側（時計方向）へ回した状態で吐
水操作すると、水バルブ流入口１２ｃおよび湯バルブ流入口１２ｈの両方が開放されるた
め、吐水口１４ｃから湯水混合水が吐出される。この場合、操作レバー１１を時計方向に
回動させると混合水の温度が上昇し、反時計方向に回動させると混合水の温度が下がる。
また、図８（ｅ）に示すように、操作レバー１１を左側（時計方向）へ限度まで回した状
態で吐水操作すると、湯バルブ流入口１２ｈが全開されるため、吐水口１４ｃから湯が吐
出される。
【００２５】
図１，図３，図４で示したように、湯水混合水栓１０においては、操作レバー１１が正
面にあるとき、水栓本体部１４のバルブ側給水路１５ｃおよび湯水混合バルブユニット１
２の水バルブ流入口１２ｃが水栓本体部１４の正面側に位置している。従って、この状態
で操作レバー１１に対して吐水操作したとき、また、操作レバー１１を、正面位置を中心
にして所定角度（約２０度）だけ左右に回動した範囲内で吐水操作したとき、吐水口１４
ｃから水のみを吐出することができるため、湯の無駄使いを防止することができる。
【００２６】
また、バルブ側給水路１５ｃ、バルブ側給湯路１５ｈに対して給水管側給水路１６ｃ、
給湯管側給湯路１６ｈをそれぞれ偏心状態で連通する結合給水路１７ｃ，１７ｈを設けた
ことにより、湯水混合バルブユニット１２と水栓本体部１４の当接面１４ｓに対して、水
栓本体部１４のバルブ側給水路１５ｃ、バルブ側給湯路１５ｈがそれぞれ垂直方向に形成
された状態となる。これにより、水バルブ流入口１２ｃ、湯バルブ流入口１２ｈの水密性
を確保することができる。
【００２７】
一方、図２，図９に示すように、操作レバー１１の下方には、湯水混合バルブユニット
１２などを固定するための略リング状の固定部材１９が水栓本体部１４に取り付けられ、
この固定部材１９内に、操作レバー１１の回動操作と連動して回動する回動部材１８が組
み込まれている。回動部材１８と固定部材１９との間には略リング状の係止部材２１が固
定部材１９に係止された状態で配置されている。回動部材１８の外周には、略Ｖ字状の板
バネ２０が取り付けられ、係止部材２１の内周の正面位置には、板バネ２０の突起部が嵌
入離脱可能な凹部２１ａが形成されている。そして、操作レバー１１が正面位置にあると
き、板バネ２０の突起部は凹部２１ａ内に嵌入している。
【００２８】
従って、正面位置にある操作レバー１１を左右方向へ回動させようとすると、凹部２１
ａ内に嵌入している板バネ２０がそれを抑制する抵抗手段として機能する。このため、操
作レバー１１が水吐出位置にあることを使用者に確実に認識させることができ、誤操作に
よる湯の無駄使いを防止することができる。また、図１０に示すように、操作レバー１１
（図１参照）が左側（時計方向）へ若干ずれているとき、板バネ２０は凹部２１ａから離
脱して係止部材２１の内周に摺動可能に接触している。このため、操作レバー１１の回動
操作を妨げることはなく、操作レバー１１を正面位置に戻したとき、板バネ２０が凹部２
１ａ内に嵌入してクリック音およびクリック感を生じるので、使用者は操作レバー１１が
正確に正面位置に戻ったことを認識することができる。
【００２９】
次に、図１１に基づいて、本発明のその他の実施の形態について説明する。図１１はそ
の他の実施の形態である湯水混合水栓を示す一部分解平面図である。
【００３０】
本実施形態においては、係止部材２１の内周の正面を挟んだ左右位置に、板バネ２０の
突起部が嵌入離脱可能な複数の凹部２１ｘａ，２１ｘｂが形成されている。操作レバー１
１が正面位置にあるとき、板バネ２０の突起部は凹部２１ｘａ，２１ｘｂから離脱して係
止部材２１の内周に摺動可能に接触している。そして、板バネ２０の突起部が凹部２１ｘ
ａと凹部２１ｘｂとの間の係止部材２１の内周に接触しているときに、操作レバー１１の
吐水操作をすると、吐水口１４ｃ（図１参照）から、水のみが吐出されるように設定され
ている。
【００３１】
操作レバー１１の回動による板バネ２０の突起部の移動位置が凹部２１ｘａまたは凹部
２１ｘｂに達すると、板バネ２０が凹部２１ｘａまたは凹部２１ｘｂ内に嵌入してクリッ
ク音およびクリック感を生じる。このため、使用者は操作レバー１１が水吐出範囲の限界
に達したことを認識することができる。このような構成とすれば、操作レバー１１が水吐
出範囲内にあること、および水吐出範囲から超えたことを使用者に確実に認識させること
が可能となるため、誤操作による湯の無駄使いを防止することができる。
【符号の説明】
【００３２】
４  ケース
５  弁座
６  第１固定弁板
７  可動弁板
８  第２固定弁板
９  台座
１０  湯水混合水栓
１１  操作レバー
１２  湯水混合バルブユニット
１２ｃ  水バルブ流入口
１２ｈ  湯バルブ流入口
１２ｍ  湯水バルブ流出口
１３  操作ロッド
１３ａ  ピン
１４  水栓本体部  
１４ａ  湯水混合バルブユニット収納凹部
１４ｂ  吐水部通水路
１４ｃ  吐水口
１４ｍ  混合水路
１４ｓ  当接面
１５ｃ  バルブ側給水路
１５ｈ  バルブ側給湯路
１５ｃｍ  給水口
１５ｈｍ  給湯口
１６ｃ  給水管側給水路
１６ｈ  給湯管側給湯路
１６ｃｃ  給水管側給水路中心軸
１６ｈｃ  給湯管側給湯路中心軸
１６ｃｈｃ  中心位置
１６ｃｈｃｃ  直線
１７ｃ，１７ｈ  結合給水路
１８  回動部材
１９  固定部材
２０  板バネ
２１  係止部材
２１ａ，２１ｘａ，２１ｘｂ  凹部
２６ｃ  給水管
２６ｈ  給湯管
Ｃ  回動中心
Ｌ  線分
【図１】
2010281452.tif 000003
【図２】
2010281452.tif 000004
【図３】
2010281452.tif 000005
【図４】
2010281452.tif 000006
【図５】
2010281452.tif 000007
【図６】
2010281452.tif 000008
【図７】
2010281452.tif 000009
【図８】
2010281452.tif 000010
【図９】
2010281452.tif 000011
【図１０】
2010281452.tif 000012
【図１１】
2010281452.tif 000013